(57)【特許請求の範囲】
【請求項１】
遊技部に設置されるセンター役物には上部に第１回転部材を回転自由に収める第１振分室を、下部に第２回転部材を回転自由に収める第２振分室を上下位置に配置すると共に、該両振分室の中間に受け入れた入賞球を周回誘導する周回路と周回後落下させる落下口とを有する遅延部を介挿し、前記第１振分室には入賞球を前記遅延部に誘導する第１誘導部と外れ入賞口に誘導する第２誘導部とを接続形成し、また前記第２振分室には一般入賞口と特別入賞口とを開口させる一方、前記第１回転部材には受け入れた入賞球を前記第１誘導部に送る特別振分口と前記第２誘導部に送る一般振分口とを備え、また前記第２回転部材には前記遅延部を通して送られる入賞球を前記特別入賞口に送る特別振分部と前記一般入賞口に送る一般振分部とを備え、前記センター役物上部に受け入れる入賞球を前記第１回転部材の特別振分口若しくは一般振分口のいずれかに受け入れ、該第１回転部材の回転により前記第１誘導部若しくは第２誘導部に誘導して振分けると共に、前記第１誘導部に導かれる入賞球を前記遅延部の周回路を通して周回させながら所要時間遅延させたのち前記第２回転部材に誘導し、該第２回転部材の特別振分口若しくは一般振分口のいずれかに受けて該第２回転部材の回転に伴わせて前記特別入賞口若しくは一般入賞口のいずれかに振分け誘導するようにしてなることを特徴としたパチンコ機。
【請求項２】
請求項１の記載において、第２誘導部には確率変動状態の発生に伴って作動する可動片を備え、該可動片を第１振分室から第２誘導部を通して外れ入賞口に誘導される入賞球を遅延部に切り替え誘導可能にしてなることを特徴としたパチンコ機。
【発明の詳細な説明】
【０００１】
【産業上の利用分野】
この発明はパチンコ機に関し、特に打球が特別入賞口に入賞するなど特定条件が成立して特定遊技状態が継続しているときに、打球が始動口に入賞することにより、変動入賞装置を遊技者に不利な第１状態から遊技者に有利な第２状態に繰り返し変換することのできるパチンコ機に関するものである。
【０００２】
【従来の技術】
周知のように、この種のパチンコ機は短時間に多量の賞球を獲得可能なため遊技者に人気があり遊技店に数多く納入されている。このため、多種多様なものが開発されており、例えば、特開平５−３２９２４９号公報では、遊技に抑揚を持たせて遊技者の興趣を盛り上げるようにしている。即ち、この発明では、特定遊技状態を生起せしめる特定入賞口へ打球を誘導する回転振分装置において、予め定めた条件が成立したときに、回転振分装置を逆回転させて、打球を特別入賞口へ誘導するように制御して打球の特別入賞口への入賞率を高めている。
また、第１回転体と第２回転体とを設け、第１回転体には、落下口を閉塞する玉当接板を円周の一部に形成し、該玉当接板が落下口を閉塞している状態では、打球が第２回転体へ導入されるようになっている。そして、上記玉当接板の幅（中心角）を調整することにより入賞率を調節している。
【０００３】
【発明が解決しようとする課題】
しかしながら、上記のように、玉当接板によって入賞率を調節する場合には、正確な設定値になり難い。例えば、玉当接板の中心角を４５度に設定しても、４５／３６０である１／８にはなり難い。即ち、球が連続して流入する場合とか、玉当接板の端部では、球を受け止めなかったり、一旦受け止めた球を流してしまうことがあり、不安定となる。
従って、上記したような従来のパチンコ機にあっては、正確な入賞率の設定が困難である。このため、同一機種によっても、公平な遊技ができない問題点があった。
本発明は上記に鑑み提案されたもので、特別入賞口に対する入賞率を容易に変更可能であると共に、設定した入賞率に基づいて球を特別入賞口へ誘導可能なパチンコ機を提供することを目的とする。
【０００４】
【課題を解決するための手段】
本発明は上記目的を達成するため、打球が特別入賞口に入賞するなど特定条件の成立に基づいて、遊技者に有利な権利が発生するパチンコ機において、複数の一般振分口及び一つの特別振分口を設けた第１回転部材と、複数の一般振分部及び一つの特別振分部を設けた第２回転部材とを備え、取付基板を凹陥させる共に透明部材からなる第１前押え板によって形成した第１振分室に第１回転部材を収設し、第１回転部材の下流側に第２回転部材を配設し、該第２回転部材の前面側に透明部材からなる第２前押え板を設け、第１回転部材の特別振分口に入球した球を第２回転部材に誘導する第１誘導部と、一般振分口に入球した球を第２回転部材とは別の部位に誘導する第２誘導部とを、第１回転部材と第２回転部材との間に形成し、第１誘導部には、遅延部を設けると共に、当該遅延部の上方に形成した空間を第１前押え板の前方に開口させ、第１回転部材、第２回転部材、変動入賞部を取付基板に設ける共に、変動入賞部を第２回転部材の下流側に位置させ、第２回転部材の特別振分部に入球した球を特別入賞口へ誘導すると共に、特別入賞口へ入賞したことに基づいて変動入賞部を遊技者にとって有利な状態にする動作を繰り返し行うようにしたものである。
【０００５】
【作用】
第１回転部材及び第２回転部材の回転方向を変更することにより、特別入賞口に対する入賞率を容易に変更することができ、設定した入賞率に基づいて特別入賞口に対して球を誘導することができる。
【０００６】
【実施例】
以下、本発明を図面の実施例について説明すると、図１は遊技盤１の正面図であって、ガイドレール２に囲まれる遊技部３には、天入賞装置４、センター役物５、通過チャッカー６、権利始動口となる回転入賞装置７、一般入賞装置８、サイドランプ９等を配設し、最下位置にはアウト口１０を設ける。また、遊技部３には図示していない障害釘が適宜植設してある。
【０００７】
天入賞装置４は、図２に示すように、遊技盤１に取り付けるためのベース板１１のほゞ中央部上方に天入賞口１２を備えると共に、左右には前方に向けて開口する横長な飛込口１３を備える。上記天入賞口１２に入球した球は、天誘導樋１４により遊技盤１の背面側に取り込まれて一般の入賞球として処理される。一方、当該天入賞装置４の下縁付近には誘導釘１５を配設し、この誘導釘１５に衝突した球が上記飛込口１３に飛入するように構成してあり、飛込口１３に飛入した球は、天入賞口１２の下方に開設した放出口１６から、再び遊技部３に放球される。尚、上記誘導釘１５の間隔は、球が通過可能な間隔でもよいし、球が通過できない間隔として、上記飛込口１３へ誘導し易くしてもよい。
【０００８】
この天入賞装置４の放出口１６の底板部分１６ａは、前方に向けて緩く下り傾斜すると共に、横幅方向の中央部分が若干隆起している。これにより、放出する球を後述するセンター役物５の真上に放球するのではなく、中心線から若干左右に寄った位置に放出するようにして、球を分散させて流下方向に変化を与えている。尚、飛込口１３の下縁には、高さの低い突起１３ａが設けてあり、一旦飛び込んだ球が放出口１６に到達する前に、転出しないように構成してある。
【０００９】
上記のような天入賞装置４によれば、後述するセンター役物５を直接狙わなくともセンター役物５に入賞させることができる。このとき、中央部に球を集めてしまうことなく左右に散らすことができるので、遊技が単調にならない。
【００１０】
センター役物５の概略は、上部に配設した所謂チューリップ形式の可変入賞部２０と、中央部の上段に配設した第１振分部２１及び下段に配設した第２振分部２２と、下部に大入賞口２３を構成するように配設した所謂アタッカー形式の変動入賞部２４とからなる。
【００１１】
上記センター役物５は、図３ないし図８に示すように、遊技部３に取り付けるための取付基板２５を中心にして構成してあり、この取付基板２５の前面側に、可変入賞部２０を形成すると共に、背面側に第１振分部２１、第２振分部２２及び変動入賞部２４並びに駆動機構部２６を形成してある。
【００１２】
可変入賞部２０は、一対の可動翼片２７を取付基板２５に回動自在に軸着すると共に、当該可動翼片２７を前飾り部材２８で覆ってなる。前飾り部材２８には、上記可動翼片２７が取り込む打球を検出する球検出器２９の受部２９ａを形成すると共に、受け止めた球を取付基板２５の背面側に誘導するガイド部３０が形成してある。このガイド部３０は、上記可動翼片２７によって受け止めた球以外の入賞を拒むように鎧部３０ａを形成し、底板部には当該可変入賞部２０に入球した球を後述する第１振分部２１の第１回転部材へ球を導入するための第１ステージ３１が形成してある。この第１ステージ３１には、可動翼片２７によって取り込まれた球を、横幅方向の中央部に寄せると共に後方へ排出する緩い下り傾斜が形成してある。
【００１３】
一方、取付基板２５の背面側には、駆動源としてのソレノイド３２をソレノイド取付板３３を介して配設すると共に、当該ソレノイド３２のプランジャ３２ａと、上記一対の可動翼片２７とを作動レバー３４を介して連絡する。作動レバー３４は、長手方向の途中を軸着すると共に、基端をプランジャ３２ａの先端に枢着してあり、先端側に設けた二股の受け部３４ａ内に、前記可動翼片２７に設けた駆動ピン２７ａを遊嵌する。尚、上記ソレノイド取付板３３は、後述するモータ取付板３５と共にビス３６等の止着手段により、取付基板２５に適宜設けた支柱ないしボス３７に対して取り付けてある。
【００１４】
従って、上記ソレノイド３２が消磁した通常の状態では、プランジャ３２ａが突出しているので、可動翼片２７が起立しているが、ソレノイド３２を励磁すると、プランジャ３２ａが戻りスプリング３２ｂに抗して牽引されて作動レバー３４が回動し、この作動レバー３４の回動に伴って可動翼片２７が横向きに傾動して、前記した天入賞装置４の放出口１６から落下する球が入賞し易い状態になる。
【００１５】
前記した検出器の受部２９ａには球検出器２９を装着し、上記可動翼片２７の間に流入した球は、この球検出器２９に作用した後、前記第１ステージ３１に落下する。そして、上記球検出器２９のオンにより、入賞したのを確認するためのデモ表示を行なう。
【００１６】
上記可変入賞部２０の下方、即ち第１ステージ３１の下方には第１振分部２１を形成する。この第１振分部２１は、取付基板２５とほゞ同じレベルに、内部を透視可能なように透明部材からなる第１前押え板４０を設け、この第１前押え板４０の後方に取付基板２５を凹陥させた第１振分室４１を構成し、この第１振分室４１に複数の振分口４２を形成した第１回転部材４３を回転可能に収設して構成する。
【００１７】
第１回転部材４３は高さの低い円筒形であって、円周上には７つの一般振分口４２ａと１つの特別振分口４２ｂを配設する。一般振分口４２ａは、球が１個陥入可能なほゞＵ字状の浅孔であるが、特別振分口４２ｂは、底部が中心部まで達する共に屈曲したほゞＬ字状をした深孔である。
【００１８】
上記第１回転部材４３は、前記したように取付基板２５を凹陥させると共に、第１前押え板４０によって形成した第１振分室４１内に回動自在に軸着されると共に、後方に駆動源としての第１モータ４４を備える。第１回転部材４３と第１モータ４４を連結する回転軸４５は、カラー４５ａを介して取付基板２５の軸受部４６に軸着してある。また、上記回転軸４５の後端、即ち第１モータ４４の出力軸４４ａとの連結部には磁石４７ａを埋め込んだ球噛み防止用の回転板４７が設けてある。そして、図示していないセンサーによって、上記磁石４７ａの通過を検出し、所定時間内に磁石４７ａの通過がない場合には球噛みが発生したと見做し、第１回転部材４３を逆転させることにより、球噛み状態を解消するように設定してある。
【００１９】
第１前押え板４０の上方部分は上記ガイド部３０内に位置して、上記第１ステージ３１に連通する球入口４８が開設してある。この球入口４８は、前記した第１回転部材４３の一般振分口４２ａにほゞ一致している。このため第１ステージ３１の球は、上記第１前押え板４０の球入口４８を通って何れかの振分口４２へ陥入して第１振分室４１へ取り込まれる。
【００２０】
第１振分室４１の下方には、左右の外れ入賞口５０，５１と、中央の連絡入賞口５２とを設ける。この連絡入賞口５２は、上記第１回転部材４３の特別振分口４２ｂに陥入した球を後述する第２回転部材６０に誘導する第１誘導部を構成し、左右の外れ入賞口５０，５１は、上記第１回転部材４３の一般振分口４２ａに陥入した球を第２回転部材６０とは別の部位に誘導する第２誘導部を構成する。尚、向って右側に位置する右外れ入賞口５１には後述する可動片として開閉扉５３を設けておく。
【００２１】
左外れ入賞口５０は、前記第１回転部材４３の下方において上向きに開口すると共に、仕切板５４によって連絡入賞口５２と仕切られる。また、この左外れ入賞口５０は左取込口５０ａを通して取付基板２５の後方に連通しており、当該左外れ入賞口５０に流入した球は、取付基板２５の後方に取り込まれて一般入賞球として処理される。
【００２２】
右外れ入賞口５１には、上記したように開閉扉５３が設けてある。この開閉扉５３は、下縁部分を取付基板２５に対して回動自在に軸着すると共に、駆動源として設けたラッチングソレノイド５５のプランジャ５５ａと、駆動レバー５６及び作動レバー５７を介して連結してある。即ち、ラッチングソレノイド５５のプランジャ５５ａの下端に駆動レバー５６を枢着すると共に、該駆動レバー５６の下端を作動レバー５７の途中に枢着する。また、作動レバー５７の基端は、取付基板２５の背面側に設けた軸受部に軸着してあり、先端に設けた二股のピン受部５７ａ内に、開閉扉５３に設けた作動ピン５３ａを遊嵌させている。従って、この右外れ入賞口５１は上記ラッチングソレノイド５５の状態によって、開閉扉５３が開放した状態と、閉止した状態とを取り得る（図７参照）。
【００２３】
そこで、開閉扉５３が開放した状態では、上方から流下する球は、この開閉扉５３によって受け止められ、取付基板２５に開設した右取込口５１ａから取り込まれて一般入賞球として処理される。一方、開閉扉５３が閉止していると、上方から流下する球は、そのまま連絡入賞口５２へ流入する。従って、この開閉扉５３を開閉することによって、第２誘導部である右外れ入賞口５１を、第１誘導部である連絡入賞口５２に連通させることができ、第２誘導部と第１誘導部とを切り替え可能である。
【００２４】
第１誘導部である連絡入賞口５２には遅延部５８を形成する。この遅延部５８は、中央に落下口５８ａを有すると共に、周回路５８ｂを備える所謂クルンで構成する。従って、この連絡入賞口５２に流入した球は、周回路５８ｂを旋回することによって暫くの間留まり、やがて落下口５８ａから後述する第２振分室６１へ落下する。
【００２５】
上記連絡入賞口５２の下方には第２振分室６１を形成する。即ち、取付基板２５を若干凹陥させると共に、前面側に透明部材からなる第２前押え板６２を設けて、空間を形成するのである。そして、この空間には第２回転部材６０を設ける。
【００２６】
また、第２振分室６１の下縁には、中央部に特別入賞口７０を設けると共に、該特別入賞口７０の左右に一般入賞口７１を設け、上記特別入賞口７０には特別入賞スイッチ７２を臨ませる。尚、図示の実施例では、この特別入賞スイッチ７２を門型に形成してある。
【００２７】
上記第２回転部材６０は、高さが低いほゞ円筒形の部材であって、円周部に球が１個宛に陥入可能な３つの一般振分部６３と１つの横長な特別振分部６４とを備える。また、この第２回転部材６０の回転軸６６には、駆動源としての第２モータ６５を連結する。
【００２８】
そして、上記第２モータ６５の駆動により、第２回転部材６０は正逆回転可能である。即ち、図３の矢印Ａ方向に回転するときは、一般振分部６３に嵌入した球は、回転の途中で放球され、左側の一般入賞口７１へ入賞する。一方、横長に形成された特別振分部６４に嵌入した球は、途中で放球されることなく真下まで移送された後、真下へ向けて放球されるので、特別入賞口７０へ入賞する。
【００２９】
一方、第２回転部材６０が、矢印Ｂ方向に回転するときは、一般振分部６３に入球した球は勿論特別振分部６４に入球した球も、回転の途中で放球されるので、全ての球が右側の一般入賞口７１へ入賞する。
【００３０】
このように、特別振分部６４と一般振分部６３とを所定の比率で設けた第２回転部材６０は、所定の確率で球を特別入賞口７０へ誘導可能である。また、当該第２回転部材６０を逆転させることにより、特別入賞口７０への入賞を停止することも可能である。
【００３１】
尚、この第２回転部材６０においても、回転軸６６はカラー６６ａを介して軸着され、球噛み防止手段として磁石４７ａを備える回転板４７が設けてある。
【００３２】
上記第２振分部２２の下方には変動入賞部２４を設ける。この変動入賞部２４は、大入賞口２３を構成するものであって、所謂アタッカー形式の入賞装置である。この変動入賞部２４は、図示の実施例によれば、横長な大開口部を取付基板２５に開設すると共に、この大入賞部に対応する横長なゲート板８０を下縁側で軸着し、該ゲート板８０をソレノイド８１に連結した作動杆８２で開放するよう構成してある。
【００３３】
大開口部の左右には、前面側に突出する球案内部８３を棚状に設ける。また、大入賞口２３の内部には、球集合通路８４を形成し、この球集合通路８４の下流には、１０カウントスイッチ８５を臨ませる。
【００３４】
ゲート板８０の左右には、回転支軸８０ａが突出し、この回転支軸８０ａを取付基板２５に設けた軸受部に遊嵌し、更に大入賞口構成部材８６によって支持する。この大入賞口構成部材８６は、取付基板２５の背面側に止着する部材であって大入賞室を形成すると共に、１０カウントスイッチ取付部８６ａやソレノイド取付部８６ｂを有する。このソレノイド取付部８６ｂには、ソレノイド取付板８７を介してソレノイド８１を、この実施例では下向に取り付ける。当該ソレノイド８１のプランジャ８１ａには、基端側を揺動自在に軸着した作動杆８２の途中を枢着する。尚、この実施例では、作動杆８２の途中に設けた長孔８２ａにプランジャ８１ａに設けたピン８１ｂを遊嵌させている。上記作動杆８２の先端側はやゝ先細に形成してあり、この先端をゲート板８０に設けた連結部８０ｂに遊嵌する。従って、通常の状態では、ゲート板８０が起立しているので大入賞口２３に球が入賞できないが、ソレノイド８１を励磁すると作動杆８２が牽引されるのでゲート板８０が前回りに回動して大入賞口２３を開放する。即ち、変動入賞部２４を遊技者に有利な第２状態に変換する。
【００３５】
上記のようなセンター役物５の側方には権利始動口を構成する回転入賞装置７を配設する。
【００３６】
この回転入賞装置７は、例えば、図９ないし図１０に示すように、回転盤９０、該回転盤９０を収容する収容枠体９１、及び連通路９２を形成した連通枠体９３、並びに回転盤９０の駆動源９４を備える。
【００３７】
上記回転盤９０は、円形断面に形成され、連通枠体９３に設ける球流入口９５の前面を覆うように回転自在に配設する。また、この回転盤９０の外周部には球が１個陥入可能な切欠き９６を形成する。
【００３８】
上記連通枠体９３は、連通路９２を形成するために中空に形成され、前端面を覆う前面板９３ａには、球の流入が可能な球流入口９５が開設してあり、底板には球流出口９７が開設してある。上記球流入口９５は、後述する誘導突部９８よりも若干上方に位置している。そして、連通路９２には通過する球を検出する球検出器（図示せず）を権利始動スイッチとして臨ませる。
【００３９】
収容枠体９１は、収容リブ９１ａと誘導突部９８と誘導部材９９と、これらを設ける基盤１００とを有し、基盤１００の背面側に収容リブ９１ａが突出すると共に、誘導突部９８及び誘導部材９９が基盤１００の前面側に突出し、収容リブ９１ａは、上記回転盤９０を収容する収容室９１ｂを形成する。また、誘導突部９８は、基盤１００から前方に向けて棚状に突出しており、上面が基盤１００を介して収容室９１ｂの下縁に連絡し、前面側から後面側に向けて緩い下り傾斜を有している。また、誘導突部９８の側縁には、起立リブ９８ａを設けて当該誘導突部９８に載った球の逸脱を防止している。尚、上記誘導突部９８の前端面には下飾板１０３を添設する。
【００４０】
一方、上記誘導突部９８の上方に、球が通過可能な間隔を開けて誘導部材９９を対設すると共に、ほゞ半円形の覆い部材１０１を連設する。このため、上記誘導突部９８には、誘導部材９９の間を通過した球のみが載ることができる。尚、上記誘導部材９９の前端面には上飾板１０４を添設する。
【００４１】
更に、上記収容室９１ｂの片側には球排出路１０２を形成する。即ち、図示の実施例では、向かって左側部分の収容室９１ｂの前面を大きく開口すると共に、前向きに緩い下り傾斜を有するテーパー部１０２ａを設けている。
【００４２】
上記回転盤９０には、駆動源９４としてステッピングモータを連結し、該回転盤９０を例えば１０〜１２秒周期で左右いずれの方向にも回転可能に設定する。
【００４３】
そして、遊技部３を流下する球が誘導部材９９の間を通過すると、この球は誘導突部９８上に既に先行する球が載っていない場合には、当該誘導突部９８上に載る。また、この球は、回転盤９０が回転しているので、当該回転盤９０に当接した状態で、切欠き９６が巡って来るのを待機する。
【００４４】
切欠き９６が誘導突部９８に一致するすると、待機していた球が切欠き９６に嵌入する。このとき、回転盤９０が反時計回り（矢印Ｂ方向）に回転しているときは、陥入した球が球流入口９５に導かれて当該球流入口９５に入り、連通路９２を通って球流出口９７から排出される。
【００４５】
一方、回転盤９０が時計回り（矢印Ａ方向）に回転しているときは、切欠き９６に陥入した球は、球排出路１０２から再び遊技部３に還流される。従って、回転盤９０が時計回りに回転している通常の状態では、この回転入賞装置７には打球が入賞しない。
【００４６】
そして、既に誘導突部９８に球が載っている状態のときに、誘導部材９９の間に流下した球は、誘導突部９８に既に載っている球によって左右に振り分けられて、遊技部３へ流下する。
【００４７】
上記のような回転入賞装置７は、権利状態が発生していない通常の状態にあっては回転盤９０が矢印Ｂ方向に回転しているので入賞球が発生しない。従って、回転入賞装置７における入賞球に対する賞球を払い出す必要がなく、遊技店の売り上げ向上に寄与することができる。
【００４８】
取付基板２５の前面側で、第１振分部２１と第２振分部２２との間には、継続回数表示装置１１０を設ける。この継続回数表示装置１１０は、図示の実施例によれば２桁の所謂デジタル表示器で構成される。
【００４９】
また、取付基板２５の前面側で、上記継続回数表示装置１１０とほゞ左右対称な位置には、遊技店が適宜な態様で利用可能な、ラッキーナンバー表示装置１１１を設ける。このラッキーナンバー表示装置１１１は、後述する権利発生時に作動し、所定時間後に停止する。
【００５０】
更に、取付基板２５には、複数の発行ダイオードやランプ等の発光源からなるデモ表示灯１１２を設け、ゲームの進行に応じて点灯させたり、点滅させる。
【００５１】
図８は前記したセンター役物５の組立図であり、組立方法を簡単に説明する。取付基板２５に、可変入賞部２０を構成する可動翼片２７を差込み、前飾り部材２８を上記取付基板２５に取り付ける。
【００５２】
第１回転部材４３を、取付基板２５に設けた第１振分室４１に挿着し、上記第１回転部材４３の回動軸を第１モータ４４に連結する。また、第２回転部材６０を第２振分室６１へ挿着し、第２回転部材６０の回転軸６６と第２モータ６５とを連結する。更に、上記第１回転部材４３の振分口４２に陥入した球がこぼれ落ちないように、第１前押え板４０により上記第１振分室４１の前面を封止し、第２回転部材６０の振分部６３，６４に陥入した球がこぼれ落ちないように第２振分室６１の前面を第２前押え板６２により封止する。
【００５３】
更に、可変入賞部２０の駆動源であるソレノイド３２や変動入賞部２４の駆動源であるソレノイド８１等を配設すると共に、図示していない中継端子を設けた中継基板１１３を配設する。
【００５４】
次に上記のような構成のパチンコ機における遊技の一例を、図１１のタイムチャート及び図１２ないし図１４の動作説明図を参照して説明する。
【００５５】
遊技者が発射した打球が、通過チャッカー６を通過して、当該通過チャッカー６に臨ませた通過球検出器６ａがオンすると、すると、センター役物５に設けた可変入賞部２０の可動翼片２７が０．５秒間開く。
【００５６】
この可動翼片２７が開いた状態の時は、天入賞部に打球が入球し易い。また、この実施例では、天入賞装置４を設けてあり、天入賞装置４に飛び込んだ球を、傾動した可動翼片２７の範囲内に放出するように設定してある。そして、可動翼片２７が構成する可変入賞部２０に入球した球は第１ステージ３１を通って、第１回転部材４３のいずれかの振分口４２に嵌入する。この第１回転部材４３は、通常は矢印Ａ方向に回転している。従って、７つある一般振分口４２ａの何れかに陥入した球は、第１回転部材４３の回転の途中で放球され、開閉扉５３を開いた右外れ入賞口５１へ入球する。
【００５７】
一方、第１回転部材４３の特別振分口４２ｂに陥入した球は、回転の途中で放球されることなく、真下まで運ばれて遅延部５８の上方に放球される。
【００５８】
上記遅延部５８で遅延された球は、中央の落下口５８ａから第２振分部２２に流入する。この第２振分部２２には、１個の特別振分部６４と３個の一般振分部６３が設けてあり、１／４の確率で特別振分部６４に陥入することができる。
【００５９】
上記第２振分部２２は、通常は矢印Ａ方向である反時計回りに回転しているので、特別振分部６４に陥入した球は、中央の特別入賞口７０の上方まで運ばれ、ここで放球される。従って、この球が特別入賞口７０に入球する。特別入賞口７０に入球すると特別入賞スイッチ７２がオンし、権利状態に移行する。
【００６０】
そして、権利状態になると、各部の動きが逆転する。即ち、図１１に示すように、第１回転部材４３及び第２回転部材６０並びに回転入賞装置７の回転盤９０の回転方向が反転する。
【００６１】
先ず、権利始動口である回転入賞装置７について説明する。権利状態になると、回転入賞装置７の回転盤９０が矢印Ｂ方向に回転する。従って、誘導突部９８に載った球は、回転盤９０の回転によって球流入口９５に運ばれ、連通路９２へ流入して球検出器により検出される。
【００６２】
上記球検出器、即ち権利始動スイッチがオンすると、大入賞口２３を構成する変動入賞部２４が、打球がきわめて入賞し易い第２状態に変換する。この第２状態は、１０秒経過するか、また当該大入賞口２３に１０個の入賞球があるまで持続する。そして、権利始動スイッチがオンするごとに、上記大入賞口２３を最大１６回まで開放し、権利始動スイッチが１６回オンすると上記権利状態が消滅する。
【００６３】
また、上記のような権利は、上記権利状態中に再び特別入賞スイッチ７２がオンした場合には権利移動スイッチが１６回オンする以前であっても消滅する。
【００６４】
そこで、本発明においては、権利状態に移行したときに、第１回転部材４３及び第２回転部材６０の回転方向を逆転することにより、再び特別入賞口７０に流入し難く設定してある。即ち、第１回転部材４３を矢印Ｂ方向に回転させることにより、特別振分口４２ｂに陥入した球も、一般振分口４２ａに陥入した球も、等しく回転の途中において放球させ、放球した球を左外れ入賞口５０へ誘導している。また、権利が発生したときに、遅延部５８に球が残留している場合にも、第２回転部材６０が矢印Ｂ方向に回転するので、いずれの切欠き９６に陥入しても、一般入賞口７１へ誘導される。従って、権利中に、再び特別入賞口７０へ入賞する確率が極めて低く、権利が消滅する恐れがない。
【００６５】
そして、前記したように、権利始動口である回転入賞装置７の回転盤９０は、１周期１０秒ないし１２秒に設定してあるので、大入賞口２３の１回の開放時間よりも長い。このため、大入賞口２３に入賞可能な球数が入賞する前に、再び権利始動スイッチがオンして、次のサイクルに移行してしまうことがなく、権利を有効に行使することができる。
【００６６】
上記のようにして１回目の権利が終了すると、再び権利状態になる確率が極めて高くなる確率変動状態に移行する。即ち、この確率変動中は、通過チャッカー６を打球が通過して、通過球検出器６ａがオンすると、可変入賞部２０の可動翼片２７が６秒間開放する。また、第１回転部材４３及び第２回転部材６０が矢印Ａ方向に回転すると共に、可動片である右外れ入賞口５１の開閉扉５３を閉じる。従って、特別振分口４２ｂに陥入した球が遅延部５８に移送されるばかりではなく、一般振分口４２ａに陥入した球も開閉扉５３が閉じられているので、遅延部５８に誘導される。即ち、可変入賞部２０に入球した球は全て遅延部５８を設けた連絡入賞口５２に誘導させる。
【００６７】
そして、遅延部５８を通った球は、第２回転部材６０のいずれかの振分部に陥入する。この第２回転部材６０の振分部のうち、特別入賞口７０へ誘導可能な特別振分部６４は１つである。即ち、１／４の確率で特別振分部６４へ陥入することができ、特別入賞口７０へ入賞して権利状態となる確率が、通常の１／３２に比べて高くなる。
【００６８】
上記のようにして２回目の権利が発生すると、通過チャッカー６による可変入賞部２０の開放は０．５秒に戻る。また、第１回転部材４３及び第２回転部材６０の回転方向が矢印Ｂ方向になる。従って、第１回転部材４３のいずれの振分口４２に陥入した球も左外れ入賞口５０に流入する。尚、右外れ入賞口５１の開閉扉５３は閉じたままである。
【００６９】
遅延部５８を通過した球は、第２回転部材６０の振分部に陥入する。この第２回転部材６０は、矢印Ｂ方向に回転する。従って、特別振分部６４に陥入しても途中で放球されて特別入賞口７０へ入賞することがなく、当該特別入賞口７０へ入賞する確率、即ち権利が途中で消滅する確率は低い。
【００７０】
そして、上記第２回目の権利状態であっても、権利始動口である回転入賞装置７に入球すると、大入賞口２３を１０秒または１０個の入球があるまで開放する。
【００７１】
上記のような遊技によれば、第１回目の権利が発生すると、第１回転部材４３及び第２回転部材６０の回転方向を逆転することにより、この権利状態が途中で消滅しないようにすることができる。また、第１回目の権利が消滅した場合には、開閉扉５３を閉止することにより、特別入賞口７０に入賞する確率を向上させることができる。しかも、このときの確率を設定通りに行なうことができる。即ち、第１回目の権利発生が、（１／８）×（１／４）である１／３２の確率で発生するのに対し、第２回目の権利発生は、（８／８）×（１／４）である１／４の確率で発生する。
【００７２】
そして、権利状態中や、確率変動中、大入賞口２３の開放等は、サイドランプ９やデモ表示灯１１２等、各種の表示灯の点灯や点滅及び効果音によって遊技者に知らせ、遊技内容を解り易くする。
【００７３】
また、前記したラッキーナンバー表示装置１１１が、権利発生時に特定の図柄を表示している場合、例えば「１，３，５，７」のうち、「７」で停止した場合には、可動片である開閉扉５３を閉止する。このようにすれば、第１回転部材４３から放球された球を遅延部５８から第２回転部材６０へ誘導することができ、特別入賞口７０への入賞確率が向上する。
【００７４】
以上本発明を図面の実施例について説明したが、本発明は上記した実施例に限定されるものではなく、特許請求の範囲に記載した構成を変更しない限り適宜に実施できる。例えば、第１回転部材の特別振分口と一般振分口の比率等は適宜に設定できる。また、実施例では権利発生により、第１回転部材及び第２回転部材を矢印Ｂ方向に回転させているが、第１回転部材、第２回転部材の少なくとも一方のみを矢印Ｂ方向に回転するようにしてもよい。第１回転部材だけを矢印Ｂ方向に回転させた場合、遅延部上に球があったとき、その球により権利消滅の可能性があるゲ−ムを提供できる。更に、通過チャッカーの通過球検出器のオンにより作動するＬＥＤ図柄表示器を設けて、所定時間経過後、或は図柄停止スイッチにより停止された停止図柄が特定の図柄であった場合に、可変入賞部の可動翼片の開放時間を制御すると共に、開閉扉を所定時間閉止したり、或は開閉を繰り返すように設定し、変化に富んだゲ−ムにすることも可能である。
【００７５】
【発明の効果】
以上要するに本発明に係るパチンコ機は、打球が特別入賞口に入賞するなど特定条件の成立に基づいて、遊技者に有利な権利が発生するパチンコ機において、複数の一般振分口及び一つの特別振分口を設けた第１回転部材と、複数の一般振分部及び一つの特別振分部を設けた第２回転部材とを備え、取付基板を凹陥させる共に透明部材からなる第１前押え板によって形成した第１振分室に第１回転部材を収設し、第１回転部材の下流側に第２回転部材を配設し、該第２回転部材の前面側に透明部材からなる第２前押え板を設け、第１回転部材の特別振分口に入球した球を第２回転部材に誘導する第１誘導部と、一般振分口に入球した球を第２回転部材とは別の部位に誘導する第２誘導部とを、第１回転部材と第２回転部材との間に形成し、第１誘導部には、遅延部を設けると共に、当該遅延部の上方に形成した空間を第１前押え板の前方に開口させ、第１回転部材、第２回転部材、変動入賞部を取付基板に設ける共に、変動入賞部を第２回転部材の下流側に位置させ、第２回転部材の特別振分部に入球した球を特別入賞口へ誘導すると共に、特別入賞口へ入賞したことに基づいて変動入賞部を遊技者にとって有利な状態にする動作を繰り返し行うようにしたので、回転部材の回転方向を変換することにより、特別入賞口へ入賞する確率を変更することができる。また、第１回転部材と第２回転部材との間に形成した可動片を開閉することにより、第２回転部材に対する入賞率を向上させることができると共に、特別入賞口における入賞率を設定通りに機能させることができる。従って、遊技者に対して公平な遊技を提供可能となる。
更に、第１回転部材の振分口及び第２回転部材の振分部が凹部として形成されているので、この凹部に球が貯留状態となり、変動入賞装置が１６回開放することにより権利が終了した時点で、上記凹部に球を貯留していると、この貯留した球が特別入賞口に入賞して続けて権利状態になる可能性があり、遊技性が著しく増大する。
【図面の簡単な説明】
【図１】遊技盤の正面図である。
【図２】天入賞装置を示し、（Ａ）は正面図、（Ｂ）は平面図、（Ｃ）はＡ−Ａ線断面図、（Ｄ）はＢ−Ｂ線断面図である。
【図３】センター役物の正面図である。
【図４】センター役物の縦断面図である。
【図５】図２のＡ−Ａ線断面図である。
【図６】図２のＢ−Ｂ線断面図である。
【図７】開閉扉の説明図で、（Ａ）は開放状態、（Ｂ）は閉止状態を示す。
【図８】センター役物の組立図である。
【図９】回転入賞装置の正面図である。
【図１０】回転入賞装置の断面図である。
【図１１】遊技における各部材のフローチャート。
【図１２】第１回転部材及び第２回転部材並びに開閉扉の動作説明図であって、通常の遊技状態を示す。
【図１３】第１回転部材及び第２回転部材並びに開閉扉の動作説明図であって、権利発生中の遊技状態を示す。
【図１４】第１回転部材及び第２回転部材並びに開閉扉の動作説明図であって、確率変動中の遊技状態を示す。
【符号の説明】
１  遊技盤
２１  第１振分部
２２  第２振分部
２４  変動入賞部
４２ａ  一般振分口
４２ｂ  特別振分口
４３  第１回転部材
５０  第２誘導部としての左外れ入賞口
５１  第２誘導部としての右外れ入賞口
５２  第１誘導部としての連絡入賞口
６０  第２回転部材
６３  一般振分部
６４  特別振分部
７０  特別入賞口
７１  一般入賞口
【図１】
0003563764.tif 000002
【図２】
0003563764.tif 000003
【図３】
0003563764.tif 000004
【図４】
0003563764.tif 000005
【図５】
0003563764.tif 000006
【図６】
0003563764.tif 000007
【図７】
0003563764.tif 000008
【図８】
0003563764.tif 000009
【図９】
0003563764.tif 000010
【図１０】
0003563764.tif 000011
【図１１】
0003563764.tif 000012
【図１２】
0003563764.tif 000013
【図１３】
0003563764.tif 000014
【図１４】
0003563764.tif 000015